(57)【要約】  【課題】冷蔵庫に保存している物品どうしの摩擦などにより、庫内保存品が電荷を帯び、それを取り出そうとした使用者と保存品との間で大量の電荷が移動するという課題があった。庫内保存品取り出し時の、安全性向上を図る。  【解決手段】保存庫３２に保存されている帯電物３３から電荷を除去する電荷除去手段３５を備えた除電装置３１を庫内に設け、帯電物３３と使用者３４との間の電位差をできるだけ小さくすることによって、それらの間で発生する放電現象を軽減することが可能となる。【選択図】図３
2009168265.tif 000002
【特許請求の範囲】
【請求項１】
仕切り板によって区画された複数の保存庫と、前記保存庫内の帯電物体から電荷を除去する除電装置と、前記除電装置の作動を制御する制御手段とを備えた冷蔵庫。
【請求項２】
保存庫の庫内外を隔てる扉の開閉動作を検知する開閉検知手段を備え、使用者が扉を開ける動作を前記開閉検知手段が検知した際に、除電装置を作動させる制御手段を備えた請求項１に記載の冷蔵庫。
【請求項３】
保存庫内の帯電物体を探索するセンシング装置を備え、前記センシング装置が帯電物体を検知した際に、除電装置を作動させる制御手段を備えた請求項１または２に記載の冷蔵庫。
【請求項４】
除電装置は、電荷除去材から成る除電機構と、前記除電機構を保存庫内の帯電物体に接触させる移動機構とから構成される請求項１から３のいずれか一項に記載の冷蔵庫。
【請求項５】
除電装置は、保存庫内の帯電物体に、反極性のイオンを放射する機構である請求項１から３のいずれか一項に記載の冷蔵庫。
【請求項６】
保存庫の庫内外を隔てる扉を開扉禁止する扉ロック機構を備え、除電装置からの情報に基づいて、前記扉ロック機構を作動させる請求項１から５のいずれか一項に記載の冷蔵庫。
【請求項７】
除電装置の作動および停止を所定の時間間隔で繰り返す除電タイマを備えた請求項１から６のいずれか一項に記載の冷蔵庫。
【請求項８】
庫内の物体から電荷を除去することを使用者に促す除電啓蒙装置を備えたことを特徴とする請求項１から７のいずれか一項に記載の冷蔵庫。
【発明の詳細な説明】
【技術分野】
【０００１】
本発明は、冷蔵庫の庫内構造ないしは扉構造に関するものであり、更に詳細に言えば、電荷を除去する方法及びその機構を備えた冷蔵庫に関するものである。
【背景技術】
【０００２】
近年ＰＥＴボトルに代表されるように、ＰＥＴ（ポリエチレンテレフタラート）を用いた容器は飲食品用途として増加し続けている。しかし、ＰＥＴはマイナスに帯電しやすい物質である。逆に、冷蔵庫の使用者（人体の皮膚など）はプラスに帯電しやすい物質に分類され、特に人毛に関しては顕著である。このことから、使用者とＰＥＴとの間に電荷の放出現象が発生しやすい状況となる。更に、冷蔵庫の庫内は、通常低湿状態であり、物体が非常に帯電しやすい状況下にある。
【０００３】
以下、特許文献１に示されている従来の技術について図面を参照しながら説明する。図１３は従来の冷蔵庫扉のハンドル構造に関する平面図である。
【０００４】
図１３において、使用者が扉１０２のハンドル１０６を引くとハンドル１０６が可動し、外箱１１４を押すことにより、てこの原理で開扉力が軽くなる。
【特許文献１】特開２０００−０１８８０３号公報
【発明の開示】
【発明が解決しようとする課題】
【０００５】
しかしながら、上記従来の冷蔵庫扉のハンドルの構成では、開扉力が軽くなる長所はあるものの、使用者の電荷を吸収または除去する機能がないため、プラスに帯電した使用者の手がマイナスに帯電した物体を庫内から取り出す際に急激に電荷が放出されることにより、使用者は痛みを感じる場合がある、という課題を有していた。
【０００６】
本発明は、上記従来の課題を解決するもので、電荷を除去する方法及び冷蔵庫におけるその除去機構を提供することを目的とする。
【課題を解決するための手段】
【０００７】
本発明の電荷除去機能を備えた冷蔵庫は、物体を帯電させてしまう機構、ないしは、物体を帯電させてしまう装置を備えている保存庫において、保存庫の内外のいずれかまたは両方に電荷を除去する機構を備えることで、物体から電荷を除去することを可能にしたものである。また、保存庫内の帯電物を検出できるセンシング装置や、使用者に電荷の除去を促す除電啓蒙装置を備えれば、より確実に電荷の除去が実現できる。
【発明の効果】
【０００８】
本発明の電荷除去機能を備えた冷蔵庫は、物体から電荷を除去することが可能となり、物体と使用者間に発生する電荷の移動を軽減し、安全性向上の効果を発揮できる。
【発明を実施するための最良の形態】
【０００９】
本発明の請求項１は、仕切板によって区画された保存庫において、庫内の物体から電荷を除去することが可能となり、物体と使用者間に発生する電荷の移動を軽減し、安全性の向上を図ることができる。
【００１０】
本発明の請求項２は、保存庫において扉の開閉動作を検知する開閉検知手段と開閉検知手段が検知した際に前記除電装置を動作させる制御手段を備えることで、使用者と庫内の物体との間における放電現象が発生する可能性がある時には必ず除電装置を作動させることが可能となり、安全性の向上を図ることができる。
【００１１】
本発明の請求項３は、庫内の帯電物体を探索するセンシング装置を備えることで、物体または使用者から電荷を除去する必要性を判断することが可能となり、電荷の除去が必要な物体を同定することで、確実に電荷の除去が実現できる。
【００１２】
本発明の請求項４は、除電装置を電荷除去材から成る除電機構と、保存庫内の帯電物体に接触させる移動機構とを備えることで、除電対象物に除電機構を作用させることができ、より確実に電荷の除去が実現できる。
【００１３】
本発明の請求項５は、除電装置を保存庫内の帯電物体に反極性のイオンを放射する機構から構成することで、より確実に電荷の除去が実現できる。
【００１４】
本発明の請求項６は、保存庫の扉を開扉禁止する扉ロック機構を備えることで、除電装置やセンシング装置の動作中には開扉禁止状態とすることで、除電処理中の庫内への手の進入やセンシング装置の誤検出、更には除電前の帯電物と使用者間の著しい放電現象を防止し、除電効率向上や帯電物体の探索精度向上、さらには使用者の安全性向上の効果が発揮できる。
【００１５】
本発明の請求項７は、除電装置の作動および停止を所定の時間間隔で繰り返す制御手段を備えることで、定期的に除電装置を動作させ、庫内の物体の帯電レベルを低減することを可能にした冷蔵庫であり、安全性の向上を図ることができる。
【００１６】
本発明の請求項８は、庫内の物体から電荷を除去することを促す除電啓蒙装置を備えることで使用者に電荷除去の必要性を明示し、庫内の物体と使用者との間に発生する放電現象を未然に防止することにより、安全性の向上を図ることができる。
【００１７】
以下、本発明による冷蔵庫の実施の形態について、図面を参照しながら説明する。なお、この実施の形態によってこの発明が限定されるものではない。
【００１８】
（実施の形態１）
図１は、本発明の実施の形態１における冷蔵庫の保存庫扉の正面図である。また、図２は、本発明の実施の形態１における冷蔵庫の保存庫扉のハンドルの要部平面図である。
【００１９】
図１、図２において、保存庫扉２は、保存庫本体１の前面に軸支持され開閉可能に取り付けられた回転式のもの、ないしは、保存庫本体１の前面に引き出し可能に取り付けられた引き出し式のものである。ただし、回転式や引き出し式は、より具体的な説明のために便宜上使用しているが、方式を限定するものでなく、保存庫扉２が、保存庫の庫内外を隔てる扉であれば、どのようなものでも構わない。なお、一般的な冷蔵庫は、冷凍室、冷蔵室、野菜室、製氷室などの複数の保存庫から構成されている。
【００２０】
ドアハンドル３は、保存庫扉２に備え付けられており、使用者が冷蔵庫扉２を開閉する際に利用する部分である。
【００２１】
手掛け部４は、ドアハンドル３の一部であり、使用者がドアハンドル３に手が掛けやすい構造としている。
【００２２】
図３は、本発明の実施の形態１における除電装置を備えた冷蔵庫のブロック図である。
【００２３】
図３において、除電装置３１は、保存庫３２に保存されている帯電物３３を含む物体から電荷を除去する電荷除去手段３５を備えた装置である。この除電装置３１には、保存庫３２内に帯電物３３が存在するかどうかを探索し検知するセンシング装置からの情報が入力される場合もある。本除電装置３１の最大の目的は、帯電物３３と使用者３４との間の電位差をできるだけ小さくし、それらの間で発生する放電現象を軽減することで使用者３４の不快感を抑制することにある。
【００２４】
保存庫３２は、冷蔵庫の仕切り板によって区切られた空間のことであり、食品や飲料品などを保存する一つ一つの部屋である。
【００２５】
帯電物３３は、電荷を帯びた物体のことである。食品や飲料品は、ＰＥＴやビニル、発泡スチロールなどの様々な素材の容器や包装材に納められた状態で保存庫３２に保存するのが通例であり、それらが互いに摩擦し合うことで静電気現象が発生し、電荷を帯びることがある。なお、『除電装置の動作対象となる庫内の物体』を指すことから便宜上帯電物と称しているが、正確には使用者３４と電位差を生じる導電物のことをここでは帯電物と称している。よって、場合によっては電荷量が零の導電物も使用者３４との間の放電現象を発生させる可能性があるため、ここでいう帯電物３３に含まれる。
【００２６】
使用者３４は、冷蔵庫の使用者（ヒト）である。ヒトの手（皮膚）は、通常プラスの電荷を帯びており、いわば帯電物である。冷蔵庫内の物体を取り出す際に、ヒトとその物体との間の電位差が大きい場合、放電現象が発生する。その電位差が著しく大きい場合は、痛みを感じることもあり危険をともなう。
【００２７】
電荷除去手段３５は、何らかの事象を契機に保存庫３２内の帯電物３３から電荷を除去する制御手段である。上述の事象とは、任意の時間経過（一定周期）や冷蔵庫扉の開閉動作、帯電物３３の検知、予め設けられた除電開始用スイッチの押下などがその具体例にあたる。例えば、定期的に任意の時間だけ電荷除去処理を実行し使用者３４が庫内の物体に触れる前に帯電物３３の電荷を除去したり、冷蔵庫扉の手掛け部４に手が掛けられた時に電荷除去処理を停止し使用者３４の手への電荷噴射を防止したり、冷蔵庫扉が閉められた後に電荷除去処理を実行し庫内の物体どうしの摩擦により生じた電荷を除去したり、といった動作が電荷除去手段３５の具体的な動作例である。
【００２８】
ここで、具体的な除電手段の一例について補足説明する。除電手段としては、除電対象物に接触して除電を行う接触方式と対象物に触れることなく除電が実施できる非接触方式とに大別する事ができるので、各々について説明する。まず、非接触方式としては、イオンを対象物に対して噴射する装置などが代表的な例となる。半導体などの製造工場に設置されているような噴射装置（イオナイザ）などがそれにあたる。次に、接触方式としては、除電を行うために帯電物と摩擦させる除電機構などが代表例となる。パソコンやテレビの画面表面などの除電に使用される除電ブラシなどがそれにあたる。なお、ここで挙げた具体例は、一般的に使用されているものばかりなので詳細説明については省略する。
【００２９】
次に、開閉状態を検知する手段と除電装置を備えた冷蔵庫について、図４から図６を用いて説明する。
【００３０】
図４は、本発明の実施の形態１における開閉検知手段と除電装置を備えた冷蔵庫のブロック図である。なお、図４中の構成部品において図３と同じものについては、既に説明しているので省略する。
【００３１】
開閉検知手段４１は、冷蔵庫扉の開閉状態を検知し、電荷除去手段３５に開閉状態情報を伝達する手段である。
【００３２】
図５（Ａ）、（Ｂ）は、本発明の実施の形態１における冷蔵庫の回転式扉に対する開閉検知手段の概略図である。図５（Ａ）、（Ｂ）ともに左側に描いた図は回転式扉を有する冷蔵庫を天面から投影させたものであり、右側に描いた図は扉の開閉状態に応じたタクトスイッチのＯＦＦ／ＯＮ状態を示したものである。図５（Ａ）は開扉状態、図５（Ｂ）は閉扉状態を示した図である。
【００３３】
図５（Ａ）のように、開扉状態においては、回転式扉と庫内にあるタクトスイッチが接触しないため、スイッチＯＦＦ状態となり、電気的に非導通状態となる。図５（Ｂ）のように、閉扉状態においては、回転式扉がタクトスイッチを押下するため、スイッチＯＮ状態となり、電気的に導通状態となる。この様な、電気的導通状態の違いをマイクロコンピュータ等に入力することで、扉の開扉判断が可能となる。
【００３４】
なお、ここでは回転式扉の開閉状態をタクトスイッチにて検出する開扉判断手段について説明したが、一例を示した物であり、手段を限定するものではない。例えば、引出式扉の場合は、扉の内側に備えられたマグネットの磁界を利用し、ホール素子で開閉状態を判断する手段などもある。この手段は、タクトスイッチ同様、冷蔵庫において一般的に利用されている方法であるため、ここでは説明を省略する。
【００３５】
図６は、本発明の実施の形態１における冷蔵庫の開閉検知手段が電荷除去手段に情報を伝達する方法を示したフローチャートである。
【００３６】
まず、ＳＴＥＰ６１において、開閉検知手段４１が扉開閉判断処理を実行する。具体的には、閉扉状態を検知する。判定の結果、閉扉状態の場合は、ＳＴＥＰ６２に移行し、そうでない場合は、何も実行せずにスタートに戻る。
【００３７】
次に、ＳＴＥＰ６２において、庫内物体除電処理を実行し、スタートに戻る。具体的には、ＳＴＥＰ６１の判断処理を受けて、保存庫３２内の物体が摩擦などによる帯電を想定して、物体から電荷を除去する。
【００３８】
図７は、本発明の実施の形態１におけるセンシング装置と除電装置を備えた冷蔵庫のブロック図である。なお、図７中の構成部品において図３と同じものについては、既に説明しているので省略する。
【００３９】
センシング装置７１は、保存庫３２内の物体に帯電した物があるかどうかを検知し、電荷除去手段３５に情報を伝達する手段である。例えば、任意の時間経過（一定周期）や冷蔵庫扉の閉扉動作などを契機に検知処理を実行する。なお、保存庫３２内の物体の帯電情報によらず、電荷除去手段３５が電荷除去処理を実行する場合には、このセンシング装置７１は不要となる。
【００４０】
更には、センシング装置７１による庫内物体帯電状態判断処理などを追加することで、センシング装置７１からの帯電分布情報に応じた除電処理を電荷除去手段３５が実行することが可能となり、より効率的な電荷除去処理が期待できる。
【００４１】
図８は、本発明の実施の形態１における除電機構と移動機構とを備えた冷蔵庫の保存庫の模式図（帯電物移動型）である。なお、図１から図３に記載の構成要素については番号を同じくして説明を省略する。
【００４２】
図８において、帯電物探索領域８１は、センシング装置７１によって帯電物３３を探索する事のできる領域である。この領域の底板は、可動式底板８２によって構成されている。
【００４３】
可動式底板８２は、センシング装置７１からの情報により、帯電物３３が存在する部分の底板だけ開口することが可能であり、帯電物３３を帯電物搬送スロープ８３に導く働きを有する。なお、可動式底板８２の数が多いほど、帯電物探索領域８１が細分化されることになり、帯電物以外の物体をスロープに導けるが、底板の面積を小さくすることとなり、配置可能な物体の大きさを制限する方向となる。底板の大きさや形を複数種類準備するなどの工夫をするとより効率的に帯電物３３をスロープに導くことができる。
【００４４】
帯電物搬送スロープ８３は、帯電物探索領域８１から搬出された物体を取出口８４まで導く搬送路である。取出口８４までの搬送は傾斜などの機構的なものでも、コンベアなどの駆動的なものでもどちらでも構わない。
【００４５】
取出口８４は、使用者３４が帯電物３３を取り出すための開口部である。ここには、除電機構（固定型）８５が備えてある。取出口８４に帯電物３３が移動されている時には使用者３４に告知する手段を備えると、使用者３４が迷わず取出口８４から取り出す事が可能となり、使い勝手は向上する。なお、取出口８４には、庫内外を断熱するための扉を設ける方が、冷蔵庫用途にとっては好適である。
【００４６】
除電機構（固定型）８５は、帯電物３３と摩擦することで使用者３４が触れる前に除電する機構のことである。除電機構（固定型）８５具体例には、電荷を除去できる除電ブラシなどがある。
【００４７】
移動機構８６は、帯電物３３を除電機構に接触させるための構成要素であり、ここでは可動式底板８２と帯電物搬送スロープ８３がそれにあたる。なお、図８では帯電物が移動する場合の実施例について説明しているが次の図９では、除電機構が移動する場合の実施例についても説明する。
【００４８】
図９は、本発明の実施の形態１における除電機構と移動機構とを備えた冷蔵庫の保存庫の模式図（除電機構移動型）である。なお、図１、図２、図３、図８に記載の構成要素については番号を同じくして説明を省略する。
【００４９】
図９において、除電機構（移動型）９１は、センシング装置７１からの情報をもとに検出された帯電物３３の位置まで、幅方向移動用レール９２と奥行き方向移動用レール９３にガイドされながら移動し、帯電物３３から除電する機構である。除電機構（固定型）８５と同様、除電ブラシなどが代表例となる。電荷噴射装置のような非接触方式の除電機構に関しても、後ほど本図９を用いて説明する。
【００５０】
幅方向移動用レール９２は、除電機構（移動型）９１を帯電物探索領域８１の幅方向に移動させることができる。
【００５１】
奥行き方向移動用レール９３は、垂直関係にある幅方向移動用レール９２を帯電物探索領域８１の奥行き方向に移動させることができる。図９では、幅方向移動用レール９２に除電機構（移動型）９１が設置されており、幅方向移動用レール９２がそれと垂直関係にある奥行き方向移動用レール９３に設置されることで、除電機構（移動型）９１が帯電物探索領域８１を自由に移動できる機構を実現している。
【００５２】
ここでは、幅方向移動用レール９２と奥行き方向移動用レール９３が移動機構８６にあたり、除電機構を帯電物３３に接触させるための構成要素である。また、２つのレールが垂直に構成された移動機構について説明したが、本実施例の説明は移動機構の構成様式を限定するものではなく、帯電物探索領域８１を探索可能な移動機構であればどのような様式でも良いことを補足しておく。
【００５３】
なお、これらのレールは、除電機構（移動型）９１の移動用途として説明したが、センシング装置７１の移動用途としても兼用すれば、センシング装置７１も備える場合の本実施例の構成はより簡素化できる。
【００５４】
ここで図８、図９の説明は、実施の形態を限定するものではなく、帯電物３３と除電機構を接触できる方法であればどのような手段を用いても構わない。例えば、回転式扉や引出式扉の手掛け部をひいた時に、保存庫内の電荷除去材のロックが解除され、保存庫内の物体と摩擦することで電荷を除去する手段や、引出式保存庫３２を引き出した際に、庫内天面に設置された電荷除去材と物体が摩擦することで電荷を除去する手段などが、その他の具体的な例となる。
【００５５】
図８では、除電機構（移動型）９１と帯電物３３とを接触させて除電する実施例について述べたが、次に電荷噴射などにより非接触で除電する実施例について図９を用いて説明する。
【００５６】
センシング装置７１を備えている場合の除電装置３１の効率的除電方法の具体事例について、図７、図９を用いて補足説明する。ここで、センシング装置７１は帯電物３３表面の電位極性が判別できるものとし、除電装置３１は電荷噴射により帯電物３３から除電する装置とし、除電機構（移動型）９１は除電ブラシなどの除電材質から構成されるものではなく電荷噴射装置とする。また、電位極性が判別可能なセンシング装置７１のセンシング方式は、一般的に、回転セクタ方式と音叉振動方式の２つに大別できるが、ここではその詳細に関する説明は省略する。
【００５７】
先ず、センシング装置７１によってある事象を契機に保存庫３２内の帯電物３３が検出される。次に、センシング装置７１からの電位極性情報を除電装置３１（または、除電機構（移動型）９１）が受信する。最後に、除電装置３１（または、除電機構（移動型）９１）は、センシング装置７１によって検出された帯電物３３に対して受信した電位極性と反極性の電荷を噴射する。このような手段とすることで、帯電物３３毎に反極性の電荷を噴射できるから、帯電物３３の帯電量をより大きくしてしまう（帯電物３３と同極性の電荷を噴射してしまう）こともなくなり、効率的となる。もし誤って、負の帯電物に負の電荷を噴射すれば、正の電荷を帯びたヒトとの電位差はより大きくなり、その間で発生する放電現象はより大きなエネルギを帯びることとなり、使用者の不快感は著しく増加するため、帯電物の反極性の電荷の噴射が可能な除電装置は非常に有用といえる。
【００５８】
図１０は、本発明の実施の形態１におけるロック機構と除電装置を備えた冷蔵庫のブロック図である。なお、図１０中の構成部品において図３と同じものについては、既に説明しているので省略する。
【００５９】
扉ロック機構１０は、電荷除去手段３５からの何らかの情報に応じて扉をロックする手段である。例えば、電荷除去手段３５が電荷除去処理状態であることを扉ロック機構１０に伝達し、扉をロックすることで庫内の物体に電荷を噴射している最中に使用者３４が庫内に手を入れることを防止することができる。また、センシング装置７１と併用することで、センシング動作中に開扉動作を禁止し庫内の帯電状況計測中に外乱が混入することを防止できる効果も発揮できる。
【００６０】
ここで、図６のフローチャートについて補足説明する。扉ロック機構１０を備えれば、ＳＴＥＰ６１の扉開閉判断処理開始から、ＳＴＥＰ６２の庫内物体除電処理完了までの間、開扉を禁止する事が可能となるので、開扉前の除電完了が確実となり、さらに安全性が向上する。
【００６１】
図１１は、本発明の実施の形態１における定期的に除電開始と除電停止を実施する手段を備えた冷蔵庫のブロック図である。なお、図１１中の構成部品において図３と同じものについては、既に説明しているので省略する。
【００６２】
除電タイマ１１は、除電装置３１の作動および停止を所定の時間間隔で繰り返す制御手段である。これにより、使用者３４が保存庫３２内の帯電物３３に触れる前に、除電することがある程度可能となる。この所定の時間は、１日のドア開閉回数から決定すると好適と言える。この方法であれば、開閉検知手段４１やセンシング装置７１が無くとも任意の時間の計数さえできればよいので、除電装置３１を制御するマイクロコンピュータなどがあれば新たな構成要件の追加が必要でないため、構成が簡略化され、コストダウンや庫内容積圧迫の回避などの効果も導出できる。
【００６３】
つまり、使用者３４が開扉して庫内に物体を収納し、物体どうしの摩擦などにより収納した物体が帯電するため、次の開扉までに除電を実施すれば良いことになる。平均的な１日のドア開閉回数は一番多い冷蔵室の扉で３０から４０回と言われており、これから試算すると所定時間は数十分程度で良いことになる。ここで、所定時間の決定方法を記述したが、あくまで一例であり、決定方法を限定する物ではない。
【００６４】
図１２は、本発明の実施の形態１における除電啓蒙装置を備えた冷蔵庫のブロック図である。なお、図１２中の構成部品において図３と同じものについては、既に説明しているので省略する。
【００６５】
除電啓蒙装置１２は、何らかの事象を契機に使用者３４に対して保存庫３２内の帯電物３３から電荷を除去するように啓蒙する装置であり、使用者３４が帯電物３３に触れる前に確実に目に触れる部分（ドア外面など）に備えるのが好適と言える。上述の事象とは、冷蔵庫扉の開閉動作、使用者３４の冷蔵庫への接近検知、センシング装置７１からの帯電情報、予め設定された任意の時間などがその具体例にあたる。ここで幾つかの具体例を列挙したが、契機事象を限定するものではなく、使用者３４が帯電物３３に接触する前に除電を促すことができればよい。
【００６６】
使用者に電荷の除去を啓蒙する除電啓蒙装置を備えると、使用者が庫内の物体に触れる前に除電装置を動作させる確実性を向上できる。例えば、予め冷蔵庫に除電ブラシを付帯しておけば、庫内の導電物に触れようとする使用者３４が導電物に除電ブラシをあてがう行動をとれる。また、予め冷蔵庫に除電ボタンを備えておけば、庫内の物体に触れる前にそのボタンを押すことで痛みを感じるほどの大きな静電気発生現象を回避できる。そして、先ほど述べたセンシング装置７１と併用する事で、庫内に帯電物があるときだけ、注意・警告できるなど更に効率的に安全性を向上することも可能となる。
【００６７】
以上のように、本実施の形態においては、電荷を除去する機構、ないしは除去する装置を設ける事で、使用者が庫内の物体に触れる前に未然に除電する事が可能となり、庫内の物体と使用者間の大量の電荷の移動という不安全な現象の未然防止といった効果を発揮する事ができる。
【産業上の利用可能性】
【００６８】
以上の様に本発明にかかる電荷除去機能を備えた冷蔵庫は、安全性の向上などの効果を発揮することが可能となるので、家庭用・産業用を問わず帯電物を保存する可能性のあるさまざまな用途の保存庫にも適用できる。
【図面の簡単な説明】
【００６９】
【図１】本発明の実施の形態１における冷蔵庫の保存庫扉の正面図
【図２】本発明の実施の形態１における冷蔵庫の回転式扉のハンドルの要部平面図
【図３】本発明の実施の形態１における除電装置を備えた冷蔵庫のブロック図
【図４】本発明の実施の形態１における開閉検知手段と除電装置を備えた冷蔵庫のブロック図
【図５】（Ａ）本発明の実施の形態１における冷蔵庫の回転式扉に対する開閉検知手段の概略図（Ｂ）本発明の実施の形態１における冷蔵庫の回転式扉に対する開閉検知手段の概略図
【図６】本発明の実施の形態１における冷蔵庫の開閉検知手段が電荷除去手段に情報を伝達する方法を示したフローチャート
【図７】本発明の実施の形態１におけるセンシング装置と除電装置を備えた冷蔵庫のブロック図
【図８】本発明の実施の形態１における除電機構と移動機構とを備えた冷蔵庫の保存庫の模式図（帯電物移動型）
【図９】本発明の実施の形態１における除電機構と移動機構とを備えた冷蔵庫の保存庫の模式図（除電機構移動型）
【図１０】本発明の実施の形態１におけるロック機構と除電装置を備えた冷蔵庫のブロック図
【図１１】本発明の実施の形態１における定期的に除電開始と除電停止を実施する手段を備えた冷蔵庫のブロック図
【図１２】本発明の実施の形態１における除電啓蒙装置を備えた冷蔵庫のブロック図
【図１３】従来の回転式扉のハンドルの要部平面図
【符号の説明】
【００７０】
１０  扉ロック機構
１１  除電タイマ
１２  除電啓蒙装置
３１  除電装置
３２  保存庫
３３  帯電物
３４  使用者
４１  開閉検知手段
７１  センシング装置
８５  除電機構（固定型）
８６  移動機構
９１  除電機構（移動型）
【図１】
2009168265.tif 000003
【図２】
2009168265.tif 000004
【図３】
2009168265.tif 000005
【図４】
2009168265.tif 000006
【図５】
2009168265.tif 000007
【図６】
2009168265.tif 000008
【図７】
2009168265.tif 000009
【図１０】
2009168265.tif 000010
【図１１】
2009168265.tif 000011
【図１２】
2009168265.tif 000012
【図１３】
2009168265.tif 000013
【図８】
2009168265.tif 000014
【図９】
2009168265.tif 000015